(57)【要約】【課題】乾燥再吐出性と吐出安定性と長期安定性とを向上させたインクジェット記録用インク組成物を提供する。【解決手段】本発明のインクジェット記録用インク組成物は、色材と、カルボキシ基を有する分散樹脂と、下記一般式（１）で表されるスルホン酸化合物と、水とを含む。  Ｒ1−ＳＯ3Ｒ2  ・・・  （１）  一般式（１）において、Ｒ1は、置換されていてもよい炭素数５以下の脂肪族炭化水素基、およびメチル基または水酸基で置換されていてもよい芳香族炭化水素基から選択される基を表し、Ｒ2は、水素原子または、アルカリ金属を表す。【選択図】なし【特許請求の範囲】
【請求項１】
色材と、カルボキシ基を有する分散樹脂と、下記一般式（１）で表されるスルホン酸化合物と、水と、を含むインクジェット記録用インク組成物。
Ｒ1−ＳＯ3Ｒ2  ・・・  （１）
一般式（１）において、Ｒ1は、置換されていてもよい炭素数５以下の脂肪族炭化水素基、およびメチル基または水酸基で置換されていてもよい芳香族炭化水素基から選択される基を表し、Ｒ2は、水素原子または、アルカリ金属を表す。
【請求項２】
前記色材は、分散染料である、請求項１に記載のインクジェット記録用インク組成物。
【請求項３】
前記スルホン酸化合物は、水酸基を有する、請求項１または請求項２に記載のインクジェット記録用インク組成物。
【請求項４】
前記スルホン酸化合物は、イセチオン酸ナトリウムである、請求項１または請求項２に記載のインクジェット記録用インク組成物。
【請求項５】
前記スルホン酸化合物を、インクジェット記録用インク組成物全体に対して、０．５質量％以上５．０質量％以下含む、請求項１から請求項４のいずれか１項に記載のインクジェット記録用インク組成物。
【請求項６】
前記分散樹脂は、芳香族環を有する、請求項１から請求項５のいずれか１項に記載のインクジェット記録用インク組成物。
【請求項７】
せん断速度が１０ｓ-1のときの粘度をせん断速度が１０００ｓ-1のときの粘度で除した値が、１．０以上１．２以下である、請求項１から請求項６のいずれか１項に記載のインクジェット記録用インク組成物。
【発明の詳細な説明】
【技術分野】
【０００１】
本発明は、インクジェット記録用インク組成物に関する。
【背景技術】
【０００２】
インクジェット記録方法は、比較的単純な装置で、高精細な画像の記録が可能であり、各方面で急速な発展を遂げている。従来、例えば、特許文献１には、インクジェット用インク及びインクジェットプリンターを備える記録システムには、樹脂分散剤と昇華性染料と、特定のアミン化合物とを含有するインクジェット用インクセットを用いることで吐出安定性が向上することが記載されている。
【先行技術文献】
【特許文献】
【０００３】
【特許文献１】特開２０１８−９４８７２号公報
【発明の概要】
【発明が解決しようとする課題】
【０００４】
上記特許文献に記載されているインクジェット用インクでは、色材が分散樹脂で分散されているため、低せん断速度側の粘度が高くなり、吐出安定性が改善されなかった。また、分散安定性が十分でないことから、乾燥再吐出性やインクの長期安定性が不十分、という課題がある。
【課題を解決するための手段】
【０００５】
本願のインクジェット記録用インク組成物は、色材と、カルボキシ基を有する分散樹脂と、下記一般式（１）で表されるスルホン酸化合物と、水と、を含む。
Ｒ1−ＳＯ3Ｒ2  ・・・  （１）
一般式（１）において、Ｒ1は、置換されていてもよい炭素数５以下の脂肪族炭化水素基、およびメチル基または水酸基で置換されていてもよい芳香族炭化水素基から選択される基を表し、Ｒ2は、水素原子または、アルカリ金属を表す。
【０００６】
上記のインクジェット記録用インク組成物において、色材は、分散染料であることが好ましい。
【０００７】
上記のインクジェット記録用インク組成物において、スルホン酸化合物は、水酸基を有することが好ましい。
【０００８】
上記のインクジェット記録用インク組成物において、スルホン酸化合物は、イセチオン酸ナトリウムであることが好ましい。
【０００９】
上記のインクジェット記録用インク組成物は、スルホン酸化合物を、インクジェット記録用インク組成物全体に対して、０．５質量％以上５．０質量％以下含むことが好ましい。
【００１０】
上記のインクジェット記録用インク組成物において、分散樹脂は、芳香族環を有することが好ましい。
【００１１】
上記のインクジェット記録用インク組成物は、せん断速度が１０ｓ-1のときの粘度をせん断速度が１０００ｓ-1のときの粘度で除した値が、１．０以上１．２以下であることが好ましい。
【発明を実施するための形態】
【００１２】
以下、本発明を実施するための形態について詳細に説明するが、本発明はこれに限定されるものではなく、その要旨を逸脱しない範囲で様々な変形が可能である。なお、本発明を実施する形態を、以下、本実施形態という。
【００１３】
本実施形態に係るインクジェット記録用インク組成物は、色材と、カルボキシ基を有する分散樹脂と、スルホン酸化合物と、水と、を含有し、上記スルホン酸化合物が下記一般式（１）で表される、インクジェット記録用インク組成物である。
Ｒ1−ＳＯ3Ｒ2  ・・・  （１）
一般式（１）において、Ｒ1は、置換されていてもよい炭素数５以下の脂肪族炭化水素基、およびメチル基または水酸基で置換されていてもよい芳香族炭化水素基から選択される基を表し、Ｒ2は、水素原子または、アルカリ金属を表す。以下、本実施形態に係るインクジェット記録用インク組成物が含有する各成分について説明する。なお、以降の説明において、インクジェット記録用インク組成物を、単にインク組成物ともいう。
【００１４】
１．インクジェット記録用インク組成物
まず、インクジェット記録用インク組成物に含まれる成分について説明する。
【００１５】
１．１．水
水は、本実施形態のインクジェット記録用インク組成物の主な溶媒である。水は、インク組成物が紙などの被記録媒体に付着された後、被記録媒体から乾燥によって蒸発する。水としては、例えば、イオン交換水、限外ろ過水、逆浸透水、蒸留水などの純水、ならびに超純水のようなイオン性不純物を極力除去したものを用いることができる。また、紫外線照射や過酸化水素の添加などによって滅菌した水を使用すると、インクジェット記録用インク組成物を長期間保存する場合に、カビやバクテリアの発生を抑制することができる。
【００１６】
インクジェット記録用インク組成物に含まれる水の含有量の上限は、特に限定されないが、インクジェット記録用インク組成物の全質量に対して、例えば、９５質量％以下、好ましくは９０質量％以下である。また、インクジェット記録用インク組成物に含まれる水の含有量の下限も、特に限定されないが、インクジェット記録用インク組成物の全質量に対して、例えば、４５質量％以上、好ましくは５０質量％以上、さらに好ましくは５５質量％以上である。
【００１７】
１．２．色材
色材としては、被記録媒体や用途などに応じて、顔料または分散染料を用いることができる。
【００１８】
顔料としては、公知のアルカリ可溶性樹脂で分散させることができる有機顔料、無機顔料のいずれも用いることができる。有機顔料としては、例えば、アゾレーキ顔料、不溶性アゾ顔料、縮合アゾ顔料、キレートアゾ顔料などのアゾ顔料、フタロシアニン顔料、ペリレン顔料、ペリノン顔料、アントラキノン顔料、キナクリドン顔料、ジオキサジン顔料、チオインジゴ顔料、イソインドリノン顔料、イソインドリン顔料、キノフタロン顔料、ジケトピロロピロール顔料などの多環式顔料、ニトロ顔料、ニトロソ顔料、アニリンブラック、昼光蛍光顔料などが挙げられる。無機顔料としては、例えば二酸化チタン、酸化亜鉛、酸化クロムなどの金属酸化物顔料、カーボンブラックなどが挙げられる。
【００１９】
カラー用インクジェット記録用インク組成物に用いる顔料としては、例えば、Ｃ．Ｉ．（Colour Index Generic Name）ピグメントイエロー１、３、１２、１３、１４、１７、２４、３４、３５、３７、４２、５３、５５、７４、８１、８３、９５、９７、９８、１００、１０１、１０４、１０８、１０９、１１０、１１７、１２０、１３８、１５３、１５５、１８０、Ｃ．Ｉ．ピグメントレッド１、２、３、５、１７、２２、２３、３１、３８、４８：２（パーマネントレッド２Ｂ（Ｂａ））、４８：２（パーマネントレッド２Ｂ（Ｃａ））、４８：３、４８：４、４９：１、５２：２、５３：１、５７：１、６０：１、６３：１、６３：２、６４：１、８１、８３、８８、１０１、１０４、１０５、１０６、１０８、１１２、１１４、１２２、１２３、１４６、１４９、１６６、１６８、１７０、１７２、１７７、１７８、１７９、１８５、１９０、１９３、２０９、２１９、Ｃ．Ｉ．ピグメントバイオレット１９、２３、Ｃ．Ｉ．ピグメントブルー１、２、１５、１５：１、１５：２、１５：３、１５：４、１５：６、１６、１７：１、５６、６０、６３、Ｃ．Ｉ．ピグメントグリーン１、４、７、８、１０、１７、１８、３６などが挙げられる。
【００２０】
顔料を用いる場合の含有量は、特に限定されないが、インク組成物の全質量に対して、例えば、０．１質量％以上、３０質量％以下とすることが好ましい。より好ましくは、１質量％以上、２０質量％以下であり、さらに好ましくは１質量％以上、１５質量％以下である。顔料の含有量を上記の範囲内とすることにより、被記録媒体において、顔料の発色を確保すると共に、インク組成物の粘度上昇を抑えることができる。
【００２１】
本実施形態のインク組成物には、色材として分散染料を採用することが好ましい。分散染料は粒子状を成し、分散媒中に分散剤によって分散する色材である。色材として分散染料を採用することによって、インク組成物を、疎水性繊維布帛等を含む布帛、樹脂、またはプラスチックフィルム、紙、ガラス、金属、陶磁器等などの被記録媒体に好適に用いることができる。
【００２２】
また、分散染料には、加熱により昇華する性質を有する昇華性染料が含まれる。そのため、分散染料、とりわけ昇華性染料は、各種着色剤の中でも、鮮明な色相が得られること、被記録媒体に対する、染色再現性、堅牢性、耐白場汚染性などの染色特性の点で優れている。
【００２３】
従前から、昇華性染料による昇華転写を利用した被記録媒体に対する染色が、広く行われている。このような昇華転写を利用した染色方法としては、例えば、紙等のシート状の中間転写媒体に昇華性染料を含むインク組成物を用いてインクジェット方式などによる印刷を行った後、被記録媒体に中間転写媒体を重ねて、加熱により昇華転写する方法や、剥離可能なインク受容層が設けられたフィルム製品等の被記録媒体のインク受容層にインク組成物を用いてインクジェット方式などによる印刷を行い、その後、そのまま加熱して下層側の被記録媒体に昇華拡散染色を行い、さらにその後、インク受容層を剥離する方法等がある。
【００２４】
分散染料としては、特に限定されないが、例えば、Ｃ．Ｉ．ディスパースブルー３、７、９、１６、２０、２７、４３、４４、５４、６２、７１、７３、７５、７９、８２、８３、８７、９３、９４、９６、１０２、１０６、１１２、１１３、１１５、１１８、１２０、１２２、１２５、１２８、１３０、１３９、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３、Ｃ．Ｉ．ディスパースレッド１、４、５、７、１２、１３、１５、１７、２７、４３、４４、５２、５４、５６、５８、７２、７３、７４、７６、７８、８１、８２、８６、８８、９０、９１、９２、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１５１、１５２、１５３、１５４、１５７、１５９、１６４、１６７、１６９、１７７、１７９、１８１、１８３、１８４、１８５、１８８、１８９、１９１、１９２、２００、２０１、２０２、２０３、２０５、２０６、２１０、２２１、２２４、２２５、２２７、２２９、２５７、２５８、２７７、２７８、２７９、２８１、２８８、２９８、３０２、３０３、３１０、３１１、３１２、３２０、３２４、３２８、Ｃ．Ｉ．ディスパースイエロー４、５、９、１３、２４、３０、３３、３４、４２、４４、４９、５０、５６、５８、６３、６４、６６、６８、７４、７６、７９、８２、８３、８５、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２、Ｃ．Ｉ．ディスパースブラック１、３、１０、２４、Ｃ．Ｉ．ディスパースオレンジ３、７、１１、１３、１７、２１、２５、２９、３０、３１、３２、３７、３８、４２、４３、４４、４５、４６、４７、４８、４９、５０、５３、５４、５５、５７、５８、５９、６１、６６、７１、７３、７８、８０、８９、９０、９１、９３、９６、９７、１１９、１２７、１３０、１３９、１４２、Ｃ．Ｉ．ディスパースバイオレット１、４、２６、３１、３３、３５、３８、４０、４３、４６、４８、５０、５１、５２、５６、５９、６１、６３、６９、７７、Ｃ．Ｉ．ディスパースグリーン９、Ｃ．Ｉ．ディスパースブラウン１、４、９、１３、１９などが挙げられる。
【００２５】
昇華性染料としては、特に限定されないが、例えば、Ｃ．Ｉ．ディスパースイエロー３、７、８、２３、３９、５１、５４、６０、７１、８６、Ｃ．Ｉ．ディスパースオレンジ１、１：１、５、２０、２５：１、３３、５６、７６、Ｃ．Ｉ．ディスパースブラウン２、Ｃ．Ｉ．ディスパースレッド１１、５０、５３、５５、５５：１、５９、６０、６５、７０、７５、９３、１４６、１５８、１９０、１９０：１、２０７、２３９、２４０、Ｃ．Ｉ．バッドレッド４１、Ｃ．Ｉ．ディスパースバイオレット８、１７、２３、２７、２８、２９、３６、５７、Ｃ．Ｉ．ディスパースブルー１４、１９、２６、２６：１、３５、５５、５６、５８、６０、６４、６４：１、７２、７２：１、８１、８１：１、９１、９５、１０８、１３１、１４１、１４５、Ｃ．Ｉ．ソルベントブルー３６、６３、１０５、１１１、Ｃ．Ｉ．ソルベントバイオレット１３等が挙げられる。
【００２６】
以上に挙げた分散染料または昇華性染料を色材として、１種単独、または複数種を組み合わせて用いることができる。
【００２７】
分散染料または昇華性染料の含有量は、インク組成物の総量に対して、好ましくは２．０〜１２質量％であり、より好ましくは２．０〜１０質量％であり、さらに好ましくは２．０〜７．５質量％である。昇華性染料の含有量を上記の範囲内とすることにより、被記録媒体において、昇華性染料の発色を確保すると共に、インク組成物の粘度上昇を抑えることができる。
【００２８】
１．３．スルホン酸化合物
スルホン酸化合物は、下記一般式（１）で表される化合物である。
Ｒ1−ＳＯ3Ｒ2  ・・・  （１）
一般式（１）において、Ｒ1は、置換されていてもよい炭素数５以下の脂肪族炭化水素基、およびメチル基または水酸基で置換されていてもよい芳香族炭化水素基から選択される基を表し、Ｒ2は、水素原子または、アルカリ金属を表す。
【００２９】
スルホン酸化合物は、上記一般式（１）で表されるスルホン酸化合物のうち、親水基とアルキル基とスルホン酸基とを含む化合物、もしくは、親水基と芳香族環とスルホン酸基とを含む化合物であることが好ましい。
【００３０】
親水基とアルキル基とスルホン酸基とを含むスルホン酸化合物は、以下の一般式（２）で表される化合物であり、親水基として水酸基を有する。
ＣmＨ2m+1−ＣＨ（ＯＨ）−ＣpＨ2p−ＳＯ3Ｒ2  （ｍ＝０〜６、ｐ＝１〜５、Ｒ2は水素原子もしくはアルカリ金属を表す。）・・・（２）
【００３１】
一般式（２）で表されるスルホン酸化合物としては、例えば、２―ヒドロキシエタン―１―スルホン酸(イセチオン酸)、２―ヒドロキシプロパン―１―スルホン酸(２−プロパノールスルホン酸)、３―ヒドロキシプロパン―１―スルホン酸、２―ヒドロキシブタン―１―スルホン酸、２―ヒドロキシペンタン―１―スルホン酸などの外、１―ヒドロキシプロパン―２―スルホン酸、４―ヒドロキシブタン―１―スルホン酸、２―ヒドロキシヘキサン―１―スルホン酸、およびこれらの、ナトリウムやカリウムなどの金属塩などが挙げられる。以上に挙げた一般式（２）で表されるスルホン酸化合物のうち、比較的に安価に入手可能という観点からイセチオン酸を用いることがより好ましい。
【００３２】
親水基と芳香族環とスルホン酸基とを含むスルホン酸化合物は、以下の一般式（３）で表される化合物であり、親水基として水酸基を有する。
ＣmＨ2m+1−ＣＨ（ＯＨ）−Ａｒp−ＳＯ3Ｒ2（ｍ＝０〜６、ｐ＝１〜２、Ａｒは単環でも縮合環でもよい芳香族環を表し、ｐは芳香族環員の数および縮合環を形成する環員数を表し、Ｒ2は水素原子もしくはアルカリ金属を表す）・・・（３）
【００３３】
一般式（３）で表されるスルホン酸化合物としては、例えば、１−ナフタレンスルホン酸、ｐ−フェノールスルホン酸、クレゾールスルホン酸、およびこれらの、ナトリウムやカリウムなどの金属塩などが挙げられる。
【００３４】
インクジェット記録用インク組成物は、上記スルホン酸化合物を、インク組成物全体に対して、０．５質量％以上５．０質量％以下含む。０．５質量％以上のスルホン酸化合物の添加により、インクの乾燥再吐出性、吐出安定性、および、長期安定性がさらに向上する。スルホン酸化合物を５．０質量％以下とすることにより、インクジェットヘッドのノズルにおける目詰まりの発生を抑えることができる。
【００３５】
１．４．分散樹脂
分散樹脂は、カルボキシ基を有する。カルボキシ基を有する分散樹脂は、一般式（１）で表されるスルホン酸化合物との相乗効果によって、分散樹脂の水溶性が向上するため、それに伴って、色材の分散安定性が向上し、乾燥再吐出性が向上する。
【００３６】
分散樹脂は、芳香族環を有することが好ましい。分散樹脂が芳香族環を有することによって、色材と芳香族環との間でπ―πスタッキングが生じ、色材の分散安定性がさらに向上する。
【００３７】
分散樹脂の分子量は、重量平均分子量が１０００以上１０００００以下の範囲内であることが好ましく、５０００以上５００００以下の範囲であることがより好ましい。重量平均分子量を上記範囲内に調整した場合、スルホン酸化合物を添加すると、インクジェット記録用インク組成物中で色材を安定的に分散することができる。
【００３８】
なお、分散樹脂の重量平均分子量は、ＧＰＣ（Gel Permeation Chromatography）を用い、ポリスチレンを標準ポリマーとして測定した数値である。分散樹脂は、樹脂中のカルボキシ基を中和したものが好ましい。具体的には、カルボキシ基を中和する塩基として、アンモニア水、ジメチルアミノエタノール、ジエタノールアミン、トリエタノールアミン等の有機塩基、または水酸化リチウム、水酸化ナトリウム、水酸化カリウム等の無機塩基などが例示できる。
【００３９】
また、分散樹脂として、（メタ）アクリル樹脂、スチレン−（メタ）アクリル樹脂、ウレタン樹脂、及びエステル樹脂からなる群から選択される１種以上の樹脂を用いる場合は、分散樹脂中の芳香族環構造を含む構造単位の割合が、樹脂に対してモル比で２０％以上７０％以下であることが好ましい。なお、芳香族環構造を含む構造単位の重量は、例えば、樹脂を製造するために使用した、芳香族環構造を含む単量体成分の仕込み量から算出される。このような分散樹脂としては市販品を用いてもよい。
【００４０】
１．５．水溶性有機溶剤
インクジェット記録用インク組成物には、水溶性有機溶剤を使用することも可能である。例えば、グリセリン、エチレングリコール、ジエチレングリコール、イソプロピリデングリセロール、１，３−ブタンジオール、３−メチル−１，３−ブタンジオール、トリエチレングリコール、プロピレングリコール、ジプロピレングリコール、トリメチロールプロパン、トリメチロールエタン、トリプロピレングリコール、テトラエチレングリコール、ヘキシレングリコール、ポリエチレングリコール、ポリプロピレングリコール、１，５−ペンタンジオール、１，６−ヘキサンジオール、１，２，６−ヘキサントリオール、１，２，４−ブタントリオール、１，２，３−ブタントリオール、ペトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル、トリエチレングリコールモノブチルエーテル等の多価アルコールアルキルエーテル類、エチレングリコールモノフェニルエーテル、エチレングリコールモノベンジルエーテル等の多価アルコールアリールエーテル類、２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物、ホルムアミド、Ｎ−メチルホルムアミド、Ｎ，Ｎ−ジメチルホルムアミド、Ｎ，Ｎ−ジメチル−β−メトキシプロピオンアミド、Ｎ，Ｎ−ジメチル−β−ブトキシプロピオンアミド等のアミド類、モノエタノールアミン、ジエタノールアミン、トリエタノールアミン、モノエチルアミン、ジエチルアミン、トリエチルアミン等のアミン類、ジメチルスルホキシド、スルホラン、チオジエタノール等の含硫黄化合物類が挙げられる。
【００４１】
なお、水溶性有機溶剤は、１種単独、または複数種を組み合わせて用いることができる。
【００４２】
水溶性有機溶剤の含有量は、インク組成物の総量に対して、好ましくは２．０〜６０質量％であり、より好ましくは２．０〜５０質量％であり、さらに好ましくは２．０〜４０質量％である。インク組成物に対して、上記のように水溶性有機溶剤を所定量添加することよって、布帛などの被記録媒体に対するインク組成物の濡れ性や浸透速度が調整可能となり、画像や模様などを鮮明に捺染することができる。
【００４３】
１．６．界面活性剤
インクジェット記録用インク組成物は、表面張力調整剤である界面活性剤をさらに含んでもよい。界面活性剤としては、特に限定されないが、例えば、アセチレングリコール系界面活性剤、フッ素系界面活性剤、及びポリシロキサン系界面活性剤が挙げられる。
【００４４】
これらの中でも、インクジェット記録用インク組成物への溶解度が大きくなりインクジェット記録用インク組成物中に異物が一層発生し難くなるため、ポリシロキサン系界面活性剤がより好ましい。
【００４５】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される一種以上が好ましい。アセチレングリコール系界面活性剤の市販品としては、特に限定されないが、例えば、オルフィン（登録商標）１０４シリーズやオルフィンＥ１０１０等のＥシリーズ（商品名、日本エアプロダクツ株式会社製）、サーフィノール（登録商標）４６５やサーフィノール６１（商品名、日信化学工業株式会社製）などが挙げられる。アセチレングリコール系界面活性剤は、１種単独で使用してもよいし、２種以上を併用してもよい。
【００４６】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ−１４４、Ｓ−１４５（商品名、旭硝子株式会社製）；ＦＣ−１７０Ｃ、ＦＣ−４３０、フロラード−ＦＣ４４３０（商品名、住友スリーエム株式会社製）；ＦＳＯ、ＦＳＯ−１００、ＦＳＮ、ＦＳＮ−１００、ＦＳ−３００（商品名、デュポン社製）；ＦＴ−２５０、２５１（商品名、株式会社ネオス製）などが挙げられる。フッ素系界面活性剤は、１種単独で使用してもよいし、２種以上を併用してもよい。
【００４７】
ポリシロキサン系界面活性剤としては、ポリシロキサン系化合物、ポリエーテル変性オルガノシロキサン等が挙げられる。ポリシロキサン系界面活性剤の市販品としては、特に限定されないが、具体的には、ＢＹＫ（登録商標）−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（商品名、信越化学株式会社製）等が挙げられる。
【００４８】
界面活性剤の含有量は、インクジェット記録用インク組成物の総量に対し、好ましくは０．２０質量％以上、１．４０質量％以下であり、より好ましくは０．４０質量％以上、１．２質量％以下であり、さらに好ましくは０．６０質量％以上、１．０質量％以下である。界面活性剤の含有量が上記範囲内であることにより、被記録媒体の濡れ性を高めてインク組成物の浸透性がより優れる傾向にある。
【００４９】
１．７．その他の添加剤
インクジェット記録用インク組成物は、さらに必要に応じて、防黴剤、防腐剤、酸化防止剤、紫外線吸収剤、キレート剤、酸素吸収剤、ｐＨ調整剤（例えば、トリエタノールアミン、アジピン酸、水酸化カリウム）、又は溶解助剤、その他、通常のインクジェット記録用インク組成物において用いることができる各種添加剤を含んでもよい。なお、各種添加剤は、１種単独で用いても、２種以上を併用してもよい。
【００５０】
本実施形態のインクジェット記録用インク組成物は、上述した各成分を任意の順序で混合し、必要に応じてろ過などを実施して不純物や異物などを除去することで調製することができる。各成分の混合方法としては、メカニカルスターラー、マグネティックスターラーなどの撹拌装置を備えた容器に、各成分を順次添加して撹拌、混合する方法が用いられる。ろ過方法としては、遠心ろ過、フィルターろ過などが採用可能である。
【００５１】
１．８．インクジェット記録用インク組成物の物性
インクジェット記録用インク組成物の物性は、その用途や被記録媒体の種類に応じて任意に調節される。被記録媒体については後述する。
【００５２】
インクジェット記録用インク組成物の粘度は、２０℃において、せん断速度が１０ｓ-1のときの粘度をせん断速度が１０００ｓ-1のときの粘度で除した値が、１．０以上１．２以下である。これにより、インクジェット記録用インク組成物が、ニュートン流体に近づき、吐出安定性がさらに向上する。上記粘度は、例えば、Ｐｙｓｉｃａ社の粘弾性試験機ＭＣＲ−３００を用いて測定することが可能である。
【００５３】
インク組成物の２５℃における表面張力は、１０ｍＮ／ｍ以上４０ｍＮ／ｍ以下であることが好ましい。より好ましくは、２０ｍＮ／ｍ以上４０ｍＮ／ｍ以下であり、さらに好ましくは、２０ｍＮ／ｍ以上３５ｍＮ／ｍ以下である。２５℃における表面張力を、上記の範囲とすることにより、インクジェット法によって印刷を行う際に、インクジェットヘッドからのインク組成物の吐出安定性が向上する。また、被記録媒体に高精細な画像などを形成することができる。なお、インク組成物の表面張力は、自動表面張力計ＣＢＶＰ−Ｚ（協和界面科学社）を用いて測定することができる。具体的には、２５℃の環境下にて、白金プレートの一部をインク組成物に浸漬させて測定し、求めることが可能である。
【００５４】
２．記録方法
次に、本実施形態のインクジェット記録用インク組成物を用いた記録物の記録方法について、色材として分散染料を用いた場合について説明する。記録方法としては、特に限定されないが、例えば、インクジェット方式により、本実施形態のインクジェット記録用インク組成物を被記録媒体に付着させて記録物を得る方法が挙げられる。
【００５５】
また、分散染料が昇華性染料である場合の記録方法としては、特に限定されないが、例えば、インクジェット方式により、本実施形態のインクジェット記録用インク組成物を中間転写媒体に付着させるインクジェット記録用インク付着工程と、インクジェット記録用インク組成物が付着した中間転写媒体を乾燥させる乾燥工程と、インクジェット記録用インク組成物が付着された中間転写媒体を加熱し、インクジェット記録用インク組成物を構成する昇華性染料を被記録媒体に転写させる転写工程と、を有する方法が挙げられる。以下、分散染料が昇華性染料である場合の記録方法の各工程について詳細に説明する。
【００５６】
２．１．インクジェット記録用インク付着工程
インクジェット記録用インク付着工程では、インクジェット方式により、本実施形態のインクジェット記録用インク組成物を中間転写媒体に付着させる。インクジェット方式によるインクジェット記録用インク組成物の吐出は、公知のインクジェット記録装置を用いて行うことができる。吐出方法としては、ピエゾ方式や、インクジェット記録用インク組成物を加熱して発生した泡もしくはバブルによりインクジェット記録用インク組成物を吐出させる方式等を用いることができる。このなかでも、インクジェット記録用インク組成物の変質のし難さ等の観点から、ピエゾ方式が好ましい。
【００５７】
インクジェット記録用インク付着工程では、本実施形態のインクジェット記録用インク組成物以外のインクジェット記録用インク組成物を用いてもよい。これにより、例えば、表現することのできる色域をより広いものとすることができる。
【００５８】
２．２．中間転写媒体
中間転写媒体としては、特に限定されないが、例えば、インクジェット用専用紙及びコート紙等で呼称されるインクジェット記録用インク受容層が設けられた被記録媒体や普通紙等の紙等を用いることができる。このなかでも、シリカ等の無機微粒子でインクジェット記録用インク受容層が設けられた紙が好ましい。これにより、中間転写媒体に付着したインクジェット記録用インク組成物が乾燥する過程で、滲み等が抑制された中間転写媒体を得ることができ、また、後の転写工程において、昇華性染料の昇華がより円滑に進行する傾向にある。
【００５９】
２．３．乾燥工程
乾燥工程は、インクジェット記録用インク組成物が付着した中間転写媒体を乾燥させる工程である。乾燥時間は、乾燥温度にもよるが、常温においては、好ましくは２０分以下であり、より好ましくは１０分以下であり、さらに好ましくは５分以下である。
【００６０】
２．４．転写工程
その後、インクジェット記録用インク組成物が付着された中間転写媒体を加熱し、インクジェット記録用インク組成物を構成する昇華性染料を被記録媒体に転写させる。これにより、記録物が得られる。
【００６１】
本工程での加熱温度は、１６０℃以上２２０℃以下が好ましく、１７０℃以上２００℃以下がより好ましい。加熱温度が上記範囲内であることにより、転写に要するエネルギーをより少なくすることができ、記録物の生産性により優れる傾向にある。また、得られる記録物の発色性がより優れる傾向にある。
【００６２】
本工程での加熱時間は、加熱温度にもよるが、３０秒以上９０秒以下が好ましく、４５秒以上８０秒以下がより好ましい。加熱時間が上記範囲内であることにより、転写に要するエネルギーをより少なくすることができ、記録物の生産性により優れる傾向にある。また、得られる記録物の発色性がより優れる傾向にある。
【００６３】
また、本工程は、インクジェット記録用インク組成物が付着された中間転写媒体の表面を、被記録媒体と一定間隔で離間して対向させた状態で加熱することにより行うことも、中間転写媒体と被記録媒体とを密着させた状態で加熱することにより行うこともできる。このなかでも、中間転写媒体と被記録媒体とを密着させた状態で加熱することにより行うことが好ましい。これにより、転写に要するエネルギーをより少なくすることができ、記録物の生産性により優れる傾向にある。また、得られる記録物の発色性がより優れる傾向にある。
【００６４】
２．５．被記録媒体
被記録媒体としては、特に限定されないが、例えば、疎水性繊維布帛等を含む布帛、樹脂、またはプラスチックフィルム、紙、ガラス、金属、陶磁器等が挙げられる。また、被記録媒体としては、シート状、球状又は直方体形状等の立体的な形状を有する物を用いてもよい。
【００６５】
被記録媒体が布帛である場合に、布帛を構成する繊維としては、特に限定されないが、例えば、ポリエステル繊維、ナイロン繊維、トリアセテート繊維、ジアセテート繊維、ポリアミド繊維及びこれらの繊維を２種以上用いた混紡品等が挙げられる。また、これらとレーヨン等の再生繊維あるいは木綿、絹、羊毛等の天然繊維との混紡品を用いてもよい。
【００６６】
また、被記録媒体が樹脂、または、プラスチックフィルムである場合、用い得る樹脂フィルム、または、プラスチックフィルムとしては、特に限定されないが、例えば、ポリエステルフィルム、ポリウレタンフィルム、ポリカーボネートフィルム、ポリフェニレンサルファイドフィルム、ポリイミドフィルム、ポリアミドイミドフィルム等が挙げられる。樹脂フィルムまたは、プラスチックフィルムは、複数の層が積層された積層体であってもよいし、材料の組成が傾斜的に変化する傾斜材料で構成されたものであってもよい。
【００６７】
また、本実施形態のインクジェット記録用インク組成物は、中間転写媒体を用いない昇華転写においても好適に使用できる。中間転写媒体を用いない昇華転写は、特に限定されないが、例えば、フィルム製品等の剥離可能なインクジェット記録用インク受容層が設けられた被記録媒体のインクジェット記録用インク受容層に、インクジェット方式により本実施形態のインクジェット記録用インク組成物を付着させる工程と、インクジェット記録用インク組成物が付着されたインクジェット記録用インク受容層が設けられた被記録媒体をそのまま加熱して、インクジェット記録用インク受容層から、その下層側の被記録媒体に昇華拡散染色する工程と、インクジェット記録用インク受容層を被記録媒体から剥離して記録物を得る工程と、を有する方法が挙げられる。
【００６８】
なお、本実施形態のインクジェット記録用インク組成物の記録方法は、上記に限定されない。色材として顔料を用いる場合は、中間転写媒体を用いない方法を採用してもよい。
【００６９】
以上に述べたように、本実施形態に係るインクジェット記録用インク組成物によれば、以下の効果を得ることができる。
【００７０】
吐出安定性、乾燥再吐出性および長期安定性を向上させることができる。詳しくは、スルホン酸化合物と分散樹脂との相乗効果によって、分散樹脂の水溶性が向上し、色材の分散安定性が向上するため、乾燥再吐出性が向上する。
【００７１】
また、スルホン酸化合物を添加すると、樹脂中のカルボニウムイオンがカルボン酸に戻り、カルボン酸イオンとカルボン酸のＯＨの水素結合が切断され、水素結合作用が抑制され、低せん断速度側の粘度が低下し、インクジェット記録用インク組成物がニュートン流体に近づき、吐出安定性が向上する。
【００７２】
さらに、スルホン酸化合物のｐＫａ（酸解離定数）がカルボン酸のｐＫａよりも低いため、スルホン酸はカルボン酸よりイオンになりやすく、カルボン酸はイオンになりにくい。そのため、樹脂に物理的に吸着したスルホン酸化合物が、ｐＨの変化に影響されにくく、樹脂の水溶性が保持されるため、初期の分散状態から変化しにくく、長期安定性が向上する。
【００７３】
色材として分散染料を用いることから、被記録媒体に、疎水性繊維布帛等を含む布帛、樹脂、またはプラスチックフィルム、紙、ガラス、金属、陶磁器等が用いることができる。
【００７４】
スルホン酸化合物は、水酸基を有することから、さらに、乾燥再吐出性が向上する。詳しくは、水酸基を有する場合、スルホン酸化合物にある水酸基と分散樹脂中にあるカルボキシ基との間で、水素結合相互作用が発生し、物理的に分散樹脂に付着し、分散樹脂の水溶性が向上する。
【００７５】
以下、本発明を実施例及び比較例を用いてより具体的に説明する。本発明は、以下の実施例によって何ら限定されるものではない。
【００７６】
３．実施例１のインクジェット記録用インク組成物の調製方法
３．１．エマルション液の調製
４８％水酸化リチウム（３．２部）、イオン交換水（５６．８部）、プロピレングリコール（２０部）へＪｏｎｃｒｙｌ  ６７８（登録商標）（商品名、ＢＡＳＦジャパン株式会社製、スチレン−（メタ）アクリル共重合体、重量平均分子量＝８５００、ガラス転移点＝８５℃、酸価＝２１５ｍｇＫＯＨ／ｇ）２０部を投入し、９０−１２０℃に昇温して５時間撹拌することにより、Ｊｏｎｃｒｙｌ  ６７８のエマルション液を得た。
【００７７】
３．２．分散液の調製
Ｃ．Ｉ．ディスパースイエロー６４（３０部）、得られたエマルション液（６０部）、プロキセル（登録商標）ＧＸＬ（０．４部）、サーフィノール１０４ＰＧ５０（０．４部）、イオン交換水（９部）からなる混合物を、０．２ｍｍ径ガラスビーズを用いてサンドミルにて、冷却下、約１５時間分散化処理を行った。得られた液にイオン交換水（７０部）、エマルション液（３０部）、式（１）で表されるアミンとしてジエタノールアミン（３．０部）を加えて染料含有量を１５％に調整した後、ガラス繊維濾紙ＧＣ−５０（商品名、東洋濾紙株式会社製、フィルターの孔径０．５μｍ）で濾過することにより分散液を得た。
【００７８】
３．３．インクジェット記録用インク組成物の調製
水溶性溶剤としてプロピレングリコール５ｇ、トリエチレングリコールモノブチルエーテル５ｇ、ジエチレングリコール５ｇと得られたＣ．Ｉ．ディスパースイエロー６４分散液（染料濃度１５％）２０ｇ、水溶性有機溶剤としてグリセリン７ｇ、界面活性剤としてオルフィンＥ１０１０（商品名、日信化学工業株式会社製）０．５ｇとＢＹＫ３４８（商品名、ビックケミー・ジャパン株式会社製）０．５ｇ、ｐＨ調整剤としてトリエタノールアミン１．０ｇ、スルホン酸化合物としてイセチオン酸ナトリウム３ｇ、純水を加えて全量を１００ｇとした。孔径０．８μｍのメンブレンフィルターで濾過を行って、インクジェット記録用インク組成物を調製した。
【００７９】
【表１】
2020180210.tif 000002
【００８０】
実施例２、３、４、５について、表１の配合および実施例１の方法に従ってインクジェット記録用インク組成物を作成した。実施例２および実施例３では、実施例１と同様に、スルホン酸化合物としてイセチオン酸ナトリウムを用いた。その他の実施例で用いたスルホン酸化合物としては、実施例４ではｐ−フェノールスルホン酸を、実施例５ではペンタスルホン酸を、実施例６ではｐ−トルエンスルホン酸を、それぞれ用いた。比較例１は、スルホン酸化合物を用いなかった。なお、表１において、「−」は添加しないことを表す。
【００８１】
実施例において特に断りがない限り、「部」は質量部を、「％」は質量％をそれぞれ意味する。
【００８２】
４．評価
４．１．粘度測定
粘度は、粘弾性試験機ＭＣＲ−３００（商品名、Ｐｙｓｉｃａ社製）を用いて、２０℃の環境下での粘度（ｍＰａ・ｓ）を測定した。その際に、せん断速度が１０ｓ-1のときのインクジェット記録用インク組成物の粘度Ｔ1（ｍＰａ・ｓ）と、せん断速度が１０００ｓ-1のときのインクジェット記録用インク組成物の粘度Ｔ2（ｍＰａ・ｓ）とを測定した。また、粘度Ｔ1を粘度Ｔ2で除した値Ｔ1／Ｔ2を計算した。これらの値を表２に示した。
【００８３】
【表２】
2020180210.tif 000003
【００８４】
４．２．吐出安定性
インクジェット方式のプリンターＥＭ−９３０Ｃ（商品名、セイコーエプソン株式会社製）にインクジェット記録用インク組成物を充填し、印刷を連続で２時間行った。印刷の終了後に、印刷中に使用したノズルのノズルチェックパターンを印刷させて、正規の着弾位置からのインク滴の着弾位置のずれの有無を観察した。印刷開始前にもノズルチェックパターン印刷を行い、印刷前に対し着弾位置ずれが悪化したノズルを確認した。ノズル数を１８０個とした。以下の評価基準に従って評価を行い、その結果を表３に示した。評価結果がＡ又はＢであれば良好と判断できる。
（評価基準）
Ａ：着弾位置ずれの悪化したノズル数が１％以下
Ｂ：着弾位置ずれの悪化したノズル数が１％超、５％以下
Ｃ：着弾位置ずれの悪化したノズル数が５％超
【００８５】
【表３】
2020180210.tif 000004
【００８６】
４．３．乾燥再吐出性
インクジェット方式のプリンターＥＭ−９３０Ｃ（商品名、セイコーエプソン株式会社製）にインクジェット記録用インク組成物を充填し、吐出ヘッドを吸引キャップから外して１日放置、放置後にクリーニング１回行って全ノズルを吐出しながら２０頁連続印刷して、印刷抜け、曲がりのノズル本数を以下の基準に基づいて判定した。その結果を表４に示した。評価結果がＡ又はＢであれば良好と判断できる。
（判定基準）
Ａ：抜け、曲がりが０ノズル
Ｂ：抜け、曲がりが１〜５ノズル
Ｃ：抜け、曲がりが６ノズル以上
【００８７】
【表４】
2020180210.tif 000005
【００８８】
４．４．インクジェット記録用インク組成物の長期安定性
口径１０μｍのメンブレンフィルター（ミリポアJCWP04700、メルク株式会社製）に通過させたインク組成物をサンプル瓶に入れ、６０℃で１週間放置した。その後、口径１０μｍの金属製フィルター（面積０．８ｍｍ2、厚さ１０μｍ）に通過させた場合の異物の発生状況により、保存安定性を評価した。評価は以下の評価基準に従って行い、その結果を表５に示した。評価結果がＡ又はＢであれば良好と判断できる。
（評価基準）
Ａ  ：異物が発生しなかったか、２個／１０ｍＬ以下発生した。
Ｂ  ：異物が３〜１０個／１０ｍＬ発生した。
Ｃ  ：異物が１１個／１０ｍＬ以上発生した。
【００８９】
【表５】
2020180210.tif 000006
【００９０】
表２に示したように、実施例すべてで、値Ｔ1／Ｔ2が１．０以上１．２以下の範囲内となった。すなわち、分散樹脂とスルホン酸化合物とを含むインクジェット記録用インク組成物は、ニュートン流体に近づいた。さらに、表３、４、５に示したように、実施例４及び６は、３つの評価項目において、「適」レベルに相当するＢ評価となった以外は、「好適」レベルに相当するＡ評価となった。これにより、実施例１から実施例６のインクジェット記録用インク組成物は、吐出安定性、乾燥再吐出性および長期安定性に優れていることが示唆された。
【００９１】
一方、比較例１では、１つ以上の評価項目が「不適」レベルに相当するC評価となった。詳しくは、比較例１は、スルホン酸化合物を併用していないため、低せん断速度側の粘度が低下せず、ニュートン流体にならなかったため、吐出安定性および乾燥再吐出性がC評価になった。また、ｐHの変化により、分散樹脂の分散安定性が低下して、長期安定性が担保されなかったため、「不適」レベルに相当するＣ評価となった。以上の結果から、比較例１は、実施例と比べて劣っていることが示された。
【００９２】
以下に、実施形態から導き出される内容を記載する。
【００９３】
インクジェット記録用インク組成物は、色材と、カルボキシ基を有する分散樹脂と、下記一般式（１）で表されるスルホン酸化合物と、水と、を含む。
Ｒ1−ＳＯ3Ｒ2  ・・・  （１）
一般式（１）において、Ｒ1は、置換されていてもよい炭素数５以下の脂肪族炭化水素基、およびメチル基または水酸基で置換されていてもよい芳香族炭化水素基から選択される基を表し、Ｒ2は、水素原子または、アルカリ金属を表す。
【００９４】
この構成によれば、インクジェット記録用インク組成物において、吐出安定性、乾燥再吐出性および長期安定性を向上させることができる。詳しくは、スルホン酸化合物と分散樹脂との相乗効果によって、分散樹脂の水溶性が向上するため、それに伴って、色材の分散安定性が向上し、乾燥再吐出性が向上する。
【００９５】
また、スルホン酸化合物を添加すると、樹脂中のカルボニウムイオンがカルボン酸に戻り、カルボン酸イオンとカルボン酸のＯＨの水素結合が切断され、水素結合作用が抑制され、低せん断速度側の粘度が低下し、インクジェット記録用インク組成物がニュートン流体に近づき、吐出安定性が向上する。
【００９６】
さらに、スルホン酸化合物のｐＫａがカルボン酸のｐＫａよりも低いため、スルホン酸はカルボン酸よりイオンになりやすく、カルボン酸はイオンになりにくい。そのため、樹脂に物理的に吸着したスルホン酸化合物が、ｐＨの変化に影響されにくく、樹脂の水溶性が担保されるため、初期の分散状態から変化しにくく、長期安定性が向上する。
【００９７】
上記のインクジェット記録用インク組成物において、色材は、分散染料であることが好ましい。
【００９８】
この構成によれば、被記録媒体に、疎水性繊維布帛等を含む布帛、樹脂、またはプラスチックフィルム、紙、ガラス、金属、陶磁器等が用いることができる。
【００９９】
上記のインクジェット記録用インク組成物において、スルホン酸化合物は、水酸基を有することが好ましい。
【０１００】
この構成によれば、さらに、乾燥再吐出性が向上する。詳しくは、水酸基を有する場合、スルホン酸化合物にある水酸基と分散樹脂中にあるカルボキシ基との間で、水素結合相互作用が発生し、物理的に分散樹脂に付着し、分散樹脂の水溶性が向上する。
【０１０１】
上記のインクジェット記録用インク組成物において、スルホン酸化合物は、イセチオン酸ナトリウムであることが好ましい。
【０１０２】
この構成によれば、上市されているスルホン酸化合物の中で、比較的安価で容易に入手できる。
【０１０３】
上記のインクジェット記録用インク組成物は、スルホン酸化合物を、インクジェット記録用インク組成物全体に対して、０．５質量％以上５．０質量％以下含むことが好ましい。
【０１０４】
この構成によれば、０．５質量％以上のスルホン酸化合物の添加により、インクの乾燥再吐出性、吐出安定性、および、長期安定性がさらに向上する。スルホン酸化合物を５．０質量％以下とすることにより、インクジェットヘッドのノズルにおける目詰まりの発生を抑えることができる。
【０１０５】
上記のインクジェット記録用インク組成物において、分散樹脂は、芳香族環を有することが好ましい。
【０１０６】
この構成によれば、色材と分散樹脂の芳香族環の間でπ―πスタッキングが生じ、色材と樹脂の吸着力が向上し、分散安定性がさらに向上する。
【０１０７】
上記のインクジェット記録用インク組成物は、せん断速度が１０ｓ-1のときの粘度をせん断速度が１０００ｓ-1のときの粘度で除した値が、１．０以上１．２以下であることが好ましい。
【０１０８】
この構成によれば、インクジェット記録用インク組成物が、ニュートン流体に近づき、吐出安定性がさらに向上する。